(57)【特許請求の範囲】
【請求項１】
経編み機によって前編み地と後編み地と連結編みが編成されて、５本の指袋と手の平袋が形成され、手の平袋は、人差し指袋の外側端と小指袋の外側端が連続した４本胴部と、親指袋の外側端と４本胴部の小指袋側外側端が連続した５本胴部とからなり、５本胴部に手挿入口を備えた作業用手袋において、
４本胴部の人差し指袋側外側端と小指袋側外側端の間の長さが、人差し指袋の外側端と小指袋の外側端の間の長さより短くなるように、連結編みして編成したことを特徴とする作業用手袋。
【請求項２】
５本胴部の親指袋側外側端と小指袋側外側端の間の長さが、親指袋の外側端と小指袋の外側端の間の長さより短くなるように編成したことを特徴とする請求項１記載の作業用手袋。
【請求項３】
連結編みは、前編み地と後編み地を連結すると共に左右を連結し切れ目を形成しない第一の連結編みと、前編み地と後編み地のみを連結し切れ目を形成する第二の連結編みとからなり、
５本胴部の親指袋側外側端を形成する連結編みは、手挿入口近傍が第二の連結編みで形成され、それ以外が第一の連結編みで形成されていることを特徴とする請求項１又は２記載の作業用手袋。
【請求項４】
前編み地と後編み地のどちらか一方の糸の太さ又は度目を変えることによって、連結編みの位置が偏倚していることを特徴とする請求項１、２又は３記載の作業用手袋。 
【発明の詳細な説明】
【技術分野】
【０００１】
本願発明は、経編み機によって編成される作業用手袋に関する。
【背景技術】
【０００２】
従来、編み機によって編成された作業用手袋が存在する（例えば特許文献１）。当該作業用手袋は、５本の指袋と手の平袋を備えている。手の平袋は、４本胴部と５本胴部とからなる。４本胴部の上部には、人差し指袋、中指袋、薬指袋、小指袋が配置されている。４本胴部の一方の外側端は、人差し指袋の外側端が下方に真っ直ぐ下がった直線と一致している。４本胴部の他方の外側端は、小指袋の外側端が下方に真っ直ぐ下がった直線と一致している。従って、人差し指袋の外側端と小指袋の外側端の間の長さと、４本胴部の巾の長さは略同じである。５本胴部の上部には、親指袋と４本胴部が配置されている。５本胴部の一方の外側端は、親指袋の外側端が下方に真っ直ぐ下がった直線と一致している。５本胴部の他方の外側端は、小指袋の外側端が下方に真っ直ぐ下がった直線と一致している。従って、親指袋の外側端と小指袋の外側端の間の長さと、５本胴部の巾の長さは略同じである。経編み作業用手袋は、ジャカード制御機構を有するダブルラッセル編機によって編成される。経編み作業用手袋は、横編み手袋に比べて、１０〜１００デニールの細い糸で編み込まれ、薄く柔軟で作業性が高い。
【先行技術文献】
【特許文献】
【０００３】
【特許文献１】特開２０００−１５４４０８号公報
【発明の概要】
【発明が解決しようとする課題】
【０００４】
人の手は、４本胴部の親指側外側端と人差し指の外側端が一致し、４本胴部の小指側外側端と小指の外側端が一致している。従って、人差し指の外側端と小指の外側端の間の長さと、４本胴部の巾の長さは略同じである。また、５本胴部の親指側外側端と親指の外側端が一致し、５本胴部の小指側外側端と小指の外側端が一致している。従って、親指の外側端と小指の外側端の間の長さと、５本胴部の巾の長さは略同じである。前記した作業用手袋は、手に装着すると、柔軟性があるので作業しやすく、薄いので表面の微細な凹凸を感じ取ることができる。しかし、作業用手袋は、手の４本胴部と作業用手袋の４本胴部のサイズが一致しており、手の４本胴部に作業用手袋の４本胴部が圧着せず、手から外れ易いという問題点があった。同様に、作業用手袋は、手の５本胴部と作業用手袋の５本胴部のサイズが一致しており、手の５本胴部に作業用手袋の５本胴部が圧着せず、手から外れ易いという問題点があった。特に、前記した作業用手袋は、手に装着して作業すると、指の屈曲動作に伴い、各指袋が上方に引っ張られ、手の平袋（４本胴部及び５本胴部）が上方（脱げる方向）に移動し、手の平袋の位置がずれ、作業に支障をきたすことになるという問題点があった。また、作業用手袋は、使い捨てが基本であり、短時間の使用後に廃棄されるので、編成後の切断のみで安価に製造できるものが望まれる。しかし、作業用手袋は、手挿入口が切断後に後加工しないのでギザギザとなり、切断面が剥き出しとなり、商品価値を損なうという問題点があった。さらにまた、作業用手袋は、経編み機によって前編み地と後編み地と連結編みが編成されて形成されるが、連結編み部が指の先端等の位置にくると、小さな物をつまんだりするような精密作業時に、指先と物との間に連結編み部がきて作業性が損なわれたり、破け易くなる可能性があるという問題点があった。
【０００５】
本願発明は、上記問題点に鑑み案出したものであって、４本胴部の外側端間の長さを、人差し指袋と小指袋の外側端の間の長さより短く編成し、装着した手の平に４本胴部が圧着して外れ難くした作業用手袋を提供することを第１の目的とする。また、５本胴部の外側端間の長さを、親指袋と小指袋の外側端の間の長さより短く編成し、装着した手の平に４本胴部及び５本胴部が圧着して外れ難くした作業用手袋を提供することを第２の目的とする。さらに、手挿入口の切断部が素材の特性により丸み込まれて切断面が隠れ、商品価値を高めることができる作業用手袋を提供することを第３の目的とする。さらにまた、連結編み部の位置を偏倚させ、精密作業しやすい構成や破れ難い構成とした作業用手袋を提供することを第４の目的とする。
【課題を解決するための手段】
【０００６】
本願請求項１記載の作業用手袋は、上記第１の目的を達成するため、経編み機によって前編み地と後編み地と連結編みが編成されて、５本の指袋と手の平袋が形成され、手の平袋は、人差し指袋の外側端と小指袋の外側端が連続した４本胴部と、親指袋の外側端と４本胴部の小指袋側外側端が連続した５本胴部とからなり、５本胴部に手挿入口を備えた作業用手袋において、４本胴部の人差し指袋側外側端と小指袋側外側端の間の長さ（Ｌ２）が、人差し指袋の外側端と小指袋の外側端の間の長さ（Ｌ１）より短くなるように、連結編みして編成したことを特徴とする。ここで、Ｌ１は、各指袋の基端に沿って延びる人差し指袋側外側端と小指袋側外側端を結ぶ直線の長さであり、Ｌ２は、各指袋の基端より下方に位置する４本胴部の人差し指袋側外側端と小指袋側外側端の間の長さ（幅）である。
【０００７】
本願請求項２記載の作業用手袋は、上記第２の目的を達成するため、５本胴部の親指袋側外側端と小指袋側外側端の間の長さが、親指袋の外側端と小指袋の外側端の間の長さより短くなるように編成したことを特徴とする。
【０００８】
本願請求項３記載の作業用手袋は、上記第３の目的を達成するため、連結編みは、前編み地と後編み地を連結すると共に左右を連結し切れ目を形成しない第一の連結編みと、前編み地と後編み地のみを連結し切れ目を形成する第二の連結編みとからなり、５本胴部の親指袋側外側端を形成する連結編みは、手挿入口近傍が第二の連結編みで形成され、それ以外が第一の連結編みで形成されていることを特徴とする。
【０００９】
本願請求項４記載の作業用手袋は、上記第４の目的を達成するため、前編み地と後編み地のどちらか一方の糸の太さ又は度目を変えることによって、連結編みの位置が偏倚していることを特徴とする。
【発明の効果】
【００１０】
本願発明に係る作業用手袋は、経編み機によって前編み地と後編み地と連結編みが編成されて、５本の指袋と手の平袋が形成されている。手の平袋は、人差し指袋の外側端と小指袋の外側端が連続した４本胴部と、親指袋の外側端と４本胴部の小指袋側外側端が連続した５本胴部とからなり、５本胴部に手挿入口を備えている。４本胴部の人差し指袋側外側端と小指袋側外側端の間の長さは、人差し指袋の外側端と小指袋の外側端の間の長さより短くなるように編成されている。従って、本願発明に係る作業用手袋は、４本胴部が狭くなっており、装着時に４本胴部が手の平に密着し、外れ難いという効果がある。
【００１１】
本願発明に係る作業用手袋は、５本胴部の親指袋側外側端と小指袋側外側端の間の長さが、親指袋の外側端と小指袋の外側端の間の長さより短くなるように編成されている。本願発明に係る作業用手袋は、４本胴部及び５本胴部が狭くなっており、装着時に４本胴部と５本胴部が手の平に密着し、外れ難いという効果がある。
【００１２】
本願発明に係る作業用手袋は、連結編みが、前編み地と後編み地を連結すると共に左右を連結し切れ目を形成しない第一の連結編みと、前編み地と後編み地のみを連結し切れ目を形成する第二の連結編みとからなる。５本胴部の親指袋側外側端を形成する連結編みは、手挿入口近傍が第二の連結編みで形成され、それ以外が第一の連結編みで形成されている。第一の連結編みは、切れ目がないので、切り離さなければならず裁断代が作業用手袋に残る。第二の連結編みは、切れ目が形成されるので、切り離す必要がなく裁断代が残らない。手挿入口近傍は第二の連結編みで形成されているので、裁断代が存在しない。裁断代が存在すると、裁断代が邪魔で手挿入口の開口端（切断面）が丸まり難いが、裁断代がないので手挿入口の開口端が素材の特性により丸まり、切断面を隠すことができ、見た目を良くすることができるという効果がある。
【００１３】
本願発明に係る作業用手袋は、前編み地と後編み地のどちらか一方の糸の太さ又は度目を変えることによって、連結編みの位置が偏倚しているので、精密作業しやすい構成や破れ難い構成にすることができるという効果がある。
【図面の簡単な説明】
【００１４】
【図１】本願発明に係る作業用手袋の一つの実施の形態を示す全体平面図である。
【図２】図１の作業用手袋の製造過程を示す平面図である。
【図３】図１の作業用手袋の斜視図である。
【図４】本願発明に係る作業用手袋の他の実施の形態を示す全体平面図である。
【図５】図４の作業用手袋の製造過程を示す平面図である。
【図６】本願発明に係る作業用手袋の他の実施の形態を示す全体平面図である。
【図７】本願発明に係る作業用手袋の要部斜視図である。
【図８】本願発明に係る作業用手袋の一部裁断した斜視図である。
【図９】図８の拡大斜視図である。
【図１０】本願発明に係る作業用手袋の他の実施の形態を示す全体平面図である。
【図１１】本願発明に係る作業用手袋の他の実施の形態を示す全体平面図である。
【図１２】本願発明に係る作業用手袋の他の実施の形態を示す全体斜視図である。
【発明を実施するための形態】
【００１５】
作業用手袋１は、図４に示すように、経編み機によって前編み地１１と後編み地１２と連結編みＡ，Ｂが編成されて、５本の指袋２〜６と手の平袋７が形成されている。手の平袋７は、人差し指袋３の外側端３ａと小指袋６の外側端６ａが連続した４本胴部８と、親指袋２の外側端２ａと４本胴部８の小指袋６側外側端８ｂが連続した５本胴部９とからなる。５本胴部９には手挿入口１ａを備えている。４本胴部８の人差し指袋３側外側端８ａと小指袋６側外側端８ｂの間の長さＬ２は、人差し指袋３の外側端３ａと小指袋６の外側端６ａの間の長さＬ１より短くなるように編成している。ここで、Ｌ１は、各指袋２〜６の基端に沿って延びる人差し指袋３側外側端３ａと小指袋６側外側端６ａを結ぶ直線の長さであり、Ｌ２は、各指袋２〜６の基端より下方に位置する４本胴部８の人差し指袋３側外側端８ａと小指袋６側外側端８ｂの間の長さ（幅）である。作業用手袋１は、４本胴部８の内部が狭くなっており、装着時に４本胴部８が手の平に密着して外れ難い。作業用手袋１は、手に装着して作業すると、指の屈曲動作に伴い、各指袋２〜６が上方に引っ張られ、手の平袋７を上方（脱げる方向）に移動させる力が発生するが、４本胴部８が手の平に圧着しているので、手の平袋７の位置がずれることがなく、作業に支障をきたす恐れが少ない。
【００１６】
作業用手袋１は、５本胴部９の親指袋２側外側端９ａと小指袋６側外側端９ｂの間の長さＬ３が、親指袋２の外側端２ａと小指袋６の外側端６ａの間の長さＬ４より短くなるように編成している。作業用手袋１は、親指袋２を挟んだ両側の４本胴部８及び５本胴部９の内部が狭くなっており、装着時に４本胴部８と５本胴部９が手の平に密着し、一層外れ難くなっている。作業用手袋１は、前述したように、指の屈曲動作に伴い、手の平袋７を上方（脱げる方向）に移動させる力が発生するが、４本胴部８及び５本胴部９が親指を挟んで手の平の両側に圧着しているので、より手の平袋７の位置がずれることがない。
【００１７】
作業用手袋１は、連結編みが、前編み地１１と後編み地１２を連結すると共に左右を連結し切れ目を形成しない第一の連結編みＡと、前編み地１１と後編み地１２のみを連結し切れ目を形成する第二の連結編みＢとからなる。図４に示すように、５本胴部９の親指袋２側外側端９ａを形成する連結編みは、手挿入口１ａ近傍が第二の連結編みＢで形成され、それ以外が第一の連結編みＡで形成されている。第一の連結編みＡは、切れ目がないので、ハサミ等の切断具で切断しなければならず、裁断代１５ａが作業用手袋１に残る。第二の連結編みＢは、切れ目が形成されるので、切断する必要がなく裁断代が残らない。手挿入口１ａ近傍は第二の連結編みＢで形成されているので、裁断代が存在しない。裁断代１５ａが存在すると、裁断代１５ａが邪魔で手挿入口１ａの開口端１ｂ（切断面）が丸まり難いが、裁断代１５ａがないので手挿入口１ａの開口端１ｂが素材の特性により丸まり、切断面を隠すことができる。そのため、作業用手袋１は、手挿入口１ａの開口端１ｂを加工する必要がなく、見た目を良くすることができる。
【００１８】
作業用手袋１は、図１２に示すように、前編み地１１と後編み地１２のどちらか一方の糸の太さ又は度目を変えることによって、連結編み１３の位置が偏倚しているので、精密作業しやすい構成や破れ難い構成にすることができる。
【００１９】
作業用手袋１について具体的に説明する。図１乃至３に示すように、作業用手袋１は、図示しない経編み機によって編成され、５本の指袋２〜６と手の平袋７を備えている。５本の指袋は、親指袋２、人差し指袋３、中指袋４、薬指袋５、小指袋６からなる。手の平袋７は、４本胴部８と５本胴部９とからなる。人差し指袋３、中指袋４、薬指袋５、小指袋６は、４本胴部８の上端に配置されており、人差し指袋３の外側端３ａと小指袋６の外側端６ａが４本胴部８の両側外側端８ａ，８ｂと連続している。親指袋２と４本胴部８は、５本胴部９の上部に配置され、親指袋２の外側端２ａと４本胴部８の小指袋６側の外側端８ｂが５本胴部９の両側外側端９ａ、９ｂと連続している。５本胴部９には、手挿入口１ａが形成されている。通常は、４本胴部８の人差し指袋３側外側端８ａと小指袋６側外側端８ｂの間の長さＬ２が、人差し指袋３の外側端３ａと小指袋６の外側端６ａの間の長さと同じになるように編成されている。また、５本胴部９の親指袋２側外側端９ａと小指袋６側外側端９ｂの間の長さＬ３が、親指袋２の外側端２ａと小指袋６の外側端６ａの間の長さと同じになるように編成されている。
【００２０】
図４に示すように、作業用手袋１は、手に対する密着性を高めるため、４本胴部８の人差し指袋３側外側端８ａと小指袋６側外側端８ｂの間の長さＬ２が、人差し指袋３の外側端３ａと小指袋６の外側端６ａの間の長さＬ１より短くなるように編成されている。人の手は、４本胴部の外側端間の長さが、人差し指の外側端と小指の外側端の間の長さと略同じである。作業用手袋１は、４本胴部８の外側端８ａと外側端８ｂの間の長さＬ２が人差し指袋３の外側端３ａと小指袋６の外側端６ａの間の長さＬ１より短くなるように編成されていると、作業用手袋１の４本胴部８が人の手の４本胴部に密着する。
【００２１】
同様に、作業用手袋１は、手に対する密着性を高めるため、５本胴部９の親指袋２側外側端９ａと小指袋６側外側端９ｂの間の長さＬ３が、親指袋２の外側端２ａと小指袋６の外側端６ａの間の長さＬ４より短くなるように編成されている。人の手は、５本胴部の外側端間の長さが、親指の外側端と小指の外側端の間の長さと略同じである。作業用手袋１は、５本胴部９の外側端９ａと外側端９ｂの間の長さＬ３が親指袋２の外側端２ａと小指袋６の外側端６ａの間の長さＬ４より短くなるように編成されていると、作業用手袋１の５本胴部９が人の手の５本胴部に密着する。
【００２２】
この作業用手袋１の製造方法について説明する。作業用手袋１は、経編み機によって編成される。経編み機は、例えば、ジャカード制御機構を有するダブルラッセル編機を利用することができる。ダブルラッセル編機は、２列針床型の経編み機であり、一方の針床側で前編み地１１（前基布）又は後編み地１２（後基布）を編成し、他方の針床側で後編み地１２（後基布）又は前編み地１１（前基布）を編成し、同時に前編み地１１と後編み地１２を重ね合わせた状態で手の形に沿って連結編み１３を行う。なお、手首部には、手挿入口１ａを形成するため、連結編みを行わない。手の形に沿った連結編み１３の外側を鋏等の切断具で切り取っていくことにより作業用手袋１が完成する。
【００２３】
なお、連結編み１３は、編み地１１，１２に隠れてしまいやすいので、連結編み１３の周囲を切断しなければならないのに、連結編み１３自体も切断してしまう恐れがある。そのため、連結編み１３の周囲に鎖編みＣにより切断ライン表示部１５を編成しておくと良い。切断ライン表示部１５を切断すれは、連結編み１３を切断することがないので、不良品ができない。また、作業用手袋１を構成する前編み地１１又は後編み地１２に、サイズ（例えば、Ｌ、Ｍ、Ｓ）の編み模様を形成しておいても良い。
【００２４】
さらに、作業用手袋１の製造方法について、図２に基づいて説明する。ジャカード制御機構を有するダブルラッセル編機は、一方の針床側で前編み地１１を編成し、他方の針床側で後編み地１２を編成し、前編み地１１と後編み地１２の両端を連結編み１３で連結し、連続的にシームレス筒状の連続体１０を編成する。前編み地１１及び後編み地１２は、一般的なデンビ組織で編まれているが、特にこの経編組織に限定されない。編成される筒状の連続体１０には、一対の作業用手袋１が手挿入口１ａ側を内側にして直列状に連続して配置されている。
【００２５】
図１に示すように、作業用手袋１は、前記した５本胴部９の小指袋６側外側端９ｂ、４本胴部８の小指袋６側外側端８ｂ、小指袋６の外側端６ａが前記連続体１０の連結編み１３によって連結され、前記した５本胴部９の親指袋２側外側端９ａ、親指袋２の外側端２ａが前記連続体１０の連結編み１３によって連結されている。
【００２６】
作業用手袋１において採用される連結編み１３は、２種類有る。第一の連結編みＡは、前編み地１１側と後編み地１２側及び左右側を同時に連結する編み組織であり、第二の連結編みＢは、前編み地１１側と後編み地１２側を連結する編み組織である。第一の連結編みＡの場合は、左右側も連結しているので、前編み地１１及び後編み地１２の連結編み部に切れ目が生じない。第二の連結編みＢの場合は、左右側を連結しないので、前編み地１１及び後編み地１２の連結編み部に切れ目が生じる。
【００２７】
作業用手袋１は、図１に示すように、指袋２〜６の湾曲した先端部が第一の連結編みＡで連結され、指袋２〜６の湾曲した先端部以外が第二の連結編みＢで連結されている。第二の連結編みＢは、左右を連結しないので、指袋２〜６間に切れ目が形成され、指袋２〜６同士が互いに連結していない。第一の連結編みＡは、左右を連結するので、指袋２〜６の先端部が連続体１０に一体となっている。第一の連結編みＡの編み組織の幅は、３〜５ｍｍ程度で形成しているが、特に限定するものではない。図２に示すように、作業用手袋１は、連続体１０に対向して連続的に配置されているのは前述した通りであり、対向する作業用手袋１の各指袋３〜５の両端が第二の連結編みＢで連結され、切れ目が形成されている。例えば、一方の作業用手袋１の人差し指袋３と他方の作業用手袋１の人差し指袋３は、互いに向き合っており、一方の作業用手袋１の人差し指袋３の外側端と他方の作業用手袋１の人差し指袋３の外側端が第二の連結編みＢで連結されて切れ目が形成され、一方の作業用手袋１の人差し指袋３の内側端と他方の作業用手袋１の人差し指袋３の内側端も第二の連結編みＢで連結されて切れ目が形成されている。
【００２８】
また、ダブルラッセル編機は、図１に示すように、鎖編みＣにより、作業用手袋１の各指袋２〜６の先端部の外周と作業用手袋１の手挿入口１ａに切断ライン表示部１５を形成している。鎖編みＣは、左右連結しない編み組織でスリットを形成することができ、縦方向に５ｍｍ程度の巾で形成する。鎖編みＣの巾は、５ｍｍ程度に限定されるものではないのは勿論である。この切断ライン表示部１５に沿って、鋏等の切断具により切断を行うと、連続体１０から作業用手袋１を容易に切り離すことができるが、裁断代１５ａが残る。
【００２９】
作業用手袋１は、図４に示すように、４本胴部８の幅Ｌ２が人差し指袋３から小指袋６までの長さＬ１より短くなるように形成されている。即ち、４本胴部８の親指袋２側外側端８ａを第二の連結編みＢにより連結して切れ目を形成し、さらに４本胴部８の親指袋２側外側端８ａを第一の連結編みＡで所定の幅（２〜３ｍｍ）程度編むことにより、第一の連結編みＡの幅分（長さＬ１−長さＬ２）、４本胴部８の内部が狭くなるようになっている。なお、この第一の連結編みＡの幅分を切断具でカットしても構わない。また、作業用手袋１は、５本胴部９の幅Ｌ３が親指袋２から小指袋６までの長さＬ４より短くなるように形成されている。即ち、５本胴部９の親指袋２側外側端９ａを小指袋６側外側端６ａ側に湾曲させるようにして第一の連結編みＡにより前編み地１１と後編み地１２を連結し、手首内側ライン１７を形成する。この手首内側ライン１７により、５本胴部９の内部が狭くなるようになっている。
【００３０】
また、５本胴部９の親指袋２側の手首内側ライン１７は、第一の連結編みＡによって形成され、前述したように、第一の連結編みＡは肉眼では判別しにくいので、手首内側ライン１７の外側に沿って切断ライン表示部１５が編成されている。さらに、手首内側ライン１７は、手挿入口１ａの直前で、第一の連結編みＡから第二の連結編みＢに変えてもよい。この第二の連結編みＢの長さＬ５は、３〜１０ｍｍ程度が望ましい。この第二の連結編みＢにより切れ目ができており、この切れ目が手挿入口１ａまで伸びている。
【００３１】
作業用手袋１は、切断ライン表示部１５（鎖編みＣ）を切断することにより、連続体１０から取り出すことができる。作業用手袋１は、切断ライン表示部１５の裁断代１５ａが外側に表出しているので、図７に示すように、内側からひっくり返すことにより、切断ライン表示部１５の裁断代１５ａを内側にする。裁断代１５ａは、前述したように、第一の連結編みＡにより手挿入口１ａ直前まで存在するが、第二の連結編みＢにより手挿入口１ａから長さＬ５の範囲には存在しない。作業用手袋１は、前編み地１１及び後編み地１２の素材の特性により、図８，９に示すように、裁断代１５ａの存在しない長さＬ５の範囲で、手挿入口１ａの端縁１ｂが外側から内側に丸まり、切断端（端縁１ｂ）が内側に丸め込まれて切断端（端縁１ｂ）を隠すことになる。
【００３２】
上記実施の形態では、４本胴部８の幅Ｌ２が人差し指袋３から小指袋６までの長さＬ１より短くなるよう、４本胴部８の親指袋２側外側端８ａを第一の連結編みＡで所定の幅（２〜３ｍｍ）程度編むことにより、第一の連結編みＡの幅分（長さＬ１−長さＬ２）４本胴部８の内部が狭くなるようにした。しかし、図１０に示すように、切り取れる構成にすることにより、４本胴部８の内部を狭くするようにしても良い。即ち、４本胴部８の親指袋２側外側端８ａに沿って第二の連結編みＢにより連結し、さらにこの外側端８ａから所定の幅（２〜３ｍｍ）程度深い位置で第二の連結編みＢにより内凹み縁８ｃを連結し、外側端８ａの上端と内凹み縁８ｃの上端を第一の連結編みＡで連結し、外側端８ａの下端と内凹み縁８ｃの下端を第一の連結編みＡで連結し、この第一の連結編みＡの切断位置を示す切断ライン表示部１５を形成しておく。この外側端８ａと内凹み縁８ｃと上下の切断ライン表示部１５，１５によって囲まれる部分が、カットされるパイプ部１９となる。パイプ部１９は、第一の連結編みＡ，Ａによって作業用手袋１に連結され、切断ライン表示部１５，１５を切断することにより、作業用手袋１から取り外すことができる。４本胴部８の内部は、内凹み縁８ｃ分狭くなるので、手に密着する。なお、この内凹み縁８ｃが、４本胴部８の人差し指袋３側外側端となる。
【００３３】
４本胴部８は、図１１に示すように、小指袋６側外側端８ｂから所定の幅（２〜３ｍｍ）程度深い位置で第二の連結編みＢにより外凹み縁８ｄを連結し、外側端８ｂの下端と外凹み縁８ｄの上端を第一の連結編みＡで連結し、この第一の連結編みＡの切断位置を示す切断ライン表示部１５を形成しておく。この外凹み縁８ｄと上、下の切断ライン表示部１５，１５によって囲まれる部分が、カットされるパイプ部２０となり、パイプ部２０は、切断ライン表示部１５，１５を切断することにより、作業用手袋１から取り外すことができる。４本胴部８の内部は、外凹み縁８ｄ分狭くなるので、手に密着する。なお、この外凹み縁８ｄが、４本胴部８の小指袋６側外側端となる。なお、作業用手袋１は、４本胴部８の両側にパイプ部１９，２０を形成すると、内凹み縁８ｃと外凹み縁８ｄの間の長さＬ２が４本胴部８の幅となる。
【００３４】
作業用手袋１は、ダブルラッセル編機により、一方の針床側で前編み地１１を編成し、他方の針床側で後編み地１２を編成し、前編み地１１と後編み地１２の両端を連結編み１３で連結して製造される。前編み地１１及び後編み地１２を編成する糸の太さ及び度目（編み目の密度）は、同じなので、前編み地１１と後編み地１２の連結部（連結編み１３部分）が略中心の位置にくる。この連結部（連結編み１３部分）の位置が指先になると精密作業がし難いことや穴が開きやすいことになるので、連結部（連結編み１３部分）の位置をずらす必要がある。また、前述したように、作業用手袋１は、連続体１０から切断ライン表示部１５を裁断して取り出すので、連結部（連結編み１３部分）に、切断ライン表示部１５の裁断代１５ａが存在する。作業用手袋１は、裁断代１５ａの表出している面が裏面となるので、裁断代１５ａが内側にくるように反転させて使用する（図７参照）。従って、裁断代１５ａが手の表面に接触することになる。各指袋２〜６の裁断代１５ａが指の腹側位置すると、指先の作業に支障をきたすことになる。特に、指の腹部で材料の表面の微細の凹凸を感じ取る作業の場合、指の腹部に裁断代１５ａが存在すると、微細な凹凸を感じ取ることが困難になる。また、裁断代１５ａは、指袋２〜６の連結部（連結編み１３部分）の位置にあるので、裁断代１５ａが爪先の位置にあると、連結部（連結編み１３部分）の位置が指先になり、精密作業がし難く穴が開きやすくなる。従って、裁断代１５ａは、爪の上面側（指の腹部と反対側）の位置にくることが望ましい。前述したように、前編み地１１と後編み地１２の糸の太さ又は度目が同じであると、連結部（連結編み１３部分）が略中心の位置となるが、前編み地１１と後編み地１２のどちらか一方の糸の太さ又は度目を変えると、図１２に示すように、連結部（連結編み１３部分）即ち裁断代１５の位置が中心からずれることになる。前編み地１１の度目を後編み地１２より密にする、又は後編み地１２の糸の太さを前編み地１１より太くすると、連結部（連結編み１３部分）即ち裁断代１５の位置が中心からずれて爪の上面側になる。このように、作業用手袋１は、前編み地１１の編成する糸と後編み地１２の編成する糸の太さ又は度目を変えることにより、連結部（連結編み１３部分）の位置が中心から偏倚し、耐久性を向上させ、作業性を高めることができる。
【００３５】
作業用手袋１は、ダブルラッセル編機により編成されるため、自由に糸の太さを変えることができる。作業用手袋１は、例えば、糸太さが２０デニール等の細い糸の場合、伸縮性が高く密着性も強いが、例えば、糸太さが７０デニール等の太い糸の場合、伸縮性が小さく密着性も弱くなる。作業用手袋１は、作業内容にもよるが、機械等の力作業を行う場合、太い糸のものが望まれる。前述した通り、一般的な作業用手袋は、人差し指袋の外側端と小指袋の外側端の間の長さと、４本胴部の巾の長さが同じである。これに対し、人の手は、指の根本のＭＰ関節部分の存在もあり、人差し指の外側端と小指の外側端の間の長さより手の平が若干狭い。従って、一般的な作業用手袋を手に装着すると、作業用手袋の４本胴部が手の平より広くなり、４本胴部が手の平に密着せずにだぶつく場合がある。特に、作業用手袋は、糸太さが７０デニール等の太い糸の場合、密着性が弱いので、４本胴部が手の平部でだぶつき、だぶついた分作業性が悪くなる。作業用手袋１は、人差し指袋３の外側端３ａと小指袋６の外側端６ａの間の長さＬ１より、４本胴部８の人差し指袋３側外側端８ａと小指袋６側外側端８ｂの間の長さＬ２が短くなるように編成したので、糸が太い場合でも、４本胴部８が手の平部に密着し、作業性を損なうことがない。
【産業上の利用可能性】
【００３６】
本願発明は、薄く手に密着し、作業性が高く、外れ難い作業用手袋として広く利用可能である。
【符号の説明】
【００３７】
Ａ  第一の連結編み
Ｂ  第二の連結編み
Ｃ  鎖編み
Ｌ１  長さ
Ｌ２  長さ
Ｌ３  長さ
Ｌ４  長さ
Ｌ５  長さ
１  作業用手袋
１ａ  手挿入口
１ｂ  開口端
２  親指袋
２ａ  外側端
３  人差し指袋
３ａ  外側端
４  中指袋
５  薬指袋
６  小指袋
６ａ  外側端
７  手の平袋
８  ４本胴部
８ａ  外側端
８ｂ  外側端
８ｃ  内凹み縁
８ｄ  外凹み縁
９  ５本胴部
９ａ  外側端
９ｂ  外側端
１０  連続体
１１  前編み地
１２  後編み地
１３  連結編み
１５  切断ライン表示部
１５ａ  裁断代
１７  手首内側ライン
１９  パイプ部
２０  パイプ部
【図１】
0006710546.tif 000002
【図２】
0006710546.tif 000003
【図３】
0006710546.tif 000004
【図４】
0006710546.tif 000005
【図５】
0006710546.tif 000006
【図６】
0006710546.tif 000007
【図７】
0006710546.tif 000008
【図８】
0006710546.tif 000009
【図９】
0006710546.tif 000010
【図１０】
0006710546.tif 000011
【図１１】
0006710546.tif 000012
【図１２】
0006710546.tif 000013